【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
還元剤の存在下で窒素酸化物を転換するための触媒を備えてなるウォールフローフィルタであって、
前記ウォールフローフィルタが、押出しソリッド本体を備えてなり、
前記押出しソリッド本体が、
１０-９５重量％の少なくとも１つのバインダ／マトリックス成分、
５-９０重量％のゼオライトモレキュラーシーブ、非ゼオライトモレキュラーシーブ、又はこれらのうち２つ以上の混合物、及び
０-８０重量％の選択的に安定化したセリアを含んでなり、
前記触媒が少なくとも１つの金属を含んでなり、
（ｉ）前記少なくとも１つの金属が、前記押出しソリッド本体の全体に渡って存在してなり、
（ii）前記少なくとも１つの金属が、前記押出しソリッド本体の全体に渡って存在し、且つ前記押出しソリッド本体の表面に更に高い濃度で存在してなり、
（iii）前記少なくとも１つの金属が、前記押出しソリッド本体の全体に渡って存在し、且つ前記押出しソリッド本体の表面上の１つ以上のコーティング層に収容されてなり、又は
（iv）前記少なくとも１つの金属が、前記押出しソリッド本体の全体に渡って存在し、前記押出しソリッド本体の表面に更に高い濃度で存在し、且つ前記押出しソリッド本体の表面上の１つ以上のコーティング層に収容されてなるものである、ウォールフローフィルタ。
【請求項２】
前記押出しソリッド本体が、
１０-９５重量％のコーディエライト、窒化物、炭化物、ホウ化物、合金、リチウムアルミノ珪酸塩、選択的にドーピングされたアルミナ、シリカソース、チタニア、ジルコニア、チタニア-ジルコニア、ジルコン及びこれらのうち２つ以上の混合物、
０-８０重量％のスピネル、
それぞれが選択的に１つ以上の金属を含む、５-９０重量％のゼオライトモレキュラーシーブ、非ゼオライトモレキュラーシーブ、又はこれらのうち２つ以上の混合物、
０-８０重量％の選択的に安定化したセリア、及び
０-２５重量％の無機繊維を含む、請求項１に記載のウォールフローフィルタ。
【請求項３】
前記ウォールフローフィルタの孔隙率が、３０-８０％である、請求項１又は２に記載のウォールフローフィルタ。
【請求項４】
ゼオライトモレキュラーシーブ又は非ゼオライトモレキュラーシーブを含んでなり、
前記ゼオライトモレキュラーシーブ又は非ゼオライトモレキュラーシーブが、次のフレームワーク形態のコード：
国際ゼオライト協会の構造委員会により定義されたＡＢＷ、ＡＣＯ、ＡＥＩ、ＡＥＬ、ＡＥＮ、ＡＥＴ、ＡＦＧ、ＡＦＩ、ＡＦＮ、ＡＦＯ、ＡＦＲ、ＡＦＳ、ＡＦＴ、ＡＦＸ、ＡＦＹ、ＡＨＴ、ＡＮＡ、ＡＰＣ、ＡＰＤ、ＡＳＴ、ＡＳＶ、ＡＴＮ、ＡＴＯ、ＡＴＳ、ＡＴＴ、ＡＴＶ、ＡＷＯ、ＡＷＷ、ＢＣＴ、ＢＥＡ、ＢＥＣ、ＢＩＫ、ＢＯＦ、ＢＯＧ、ＢＰＨ、ＢＲＥ、ＢＳＶ、ＣＡＮ、ＣＡＳ、ＣＤＯ、ＣＦＩ、ＣＧＦ、ＣＧＳ、ＣＨＡ、-ＣＨＩ、-ＣＬＯ、ＣＯＮ、ＣＺＰ、ＤＡＣ、ＤＤＲ、ＤＦＯ、ＤＦＴ、ＤＯＨ、ＤＯＮ、ＥＡＢ、ＥＤＩ、ＥＭＴ、ＥＯＮ、ＥＰＩ、ＥＲＩ、ＥＳＶ、ＥＴＲ、ＥＵＯ、ＥＺＴ、ＦＡＲ、ＦＡＵ、ＦＥＲ、ＦＲＡ、ＧＩＳ、ＧＩＵ、ＧＭＥ、ＧＯＮ、ＧＯＯ、ＨＥＵ、ＩＦＲ、ＩＨＷ、ＩＭＦ、ＩＳＶ、ＩＴＥ、ＩＴＨ、ＩＴＲ、ＩＴＷ、ＩＷＲ、ＩＷＳ、ＩＷＶ、ＩＷＷ、ＪＢＷ、ＪＲＹ、ＫＦＩ、ＬＡＵ、ＬＥＶ、ＬＩＯ、-ＬＩＴ、ＬＯＳ、ＬＯＶ、ＬＴＡ、ＬＴＦ、ＬＴＬ、ＬＴＮ、ＭＡＲ、ＭＡＺ、ＭＥＩ、ＭＥＬ、ＭＥＰ、ＭＥＲ、ＭＦＩ、ＭＦＳ、ＭＯＮ、ＭＯＲ、ＭＯＺ、ＭＲＥ、ＭＳＥ、ＭＳＯ、ＭＴＦ、ＭＴＮ、ＭＴＴ、ＭＴＷ、ＭＷＷ、ＮＡＢ、ＮＡＴ、ＮＥＳ、ＮＯＮ、ＮＰＯ、ＮＳＩ、ＯＢＷ、ＯＦＦ、ＯＳＩ、ＯＳＯ、ＯＷＥ、-ＰＡＲ、ＰＡＵ、ＰＨＩ、ＰＯＮ、ＲＨＯ、-ＲＯＮ、ＲＲＯ、ＲＳＮ、ＲＴＥ、ＲＴＨ、ＲＵＴ、ＲＷＲ、ＲＷＹ、ＳＡＯ、ＳＡＳ、ＳＡＴ、ＳＡＶ、ＳＢＥ、ＳＢＮ、ＳＢＳ、ＳＢＴ、ＳＦＥ、ＳＦＦ、ＳＦＧ、ＳＦＨ、ＳＦＮ、ＳＦＯ、ＳＦＳ、ＳＧＴ、ＳＩＶ、ＳＯＤ、ＳＯＦ、ＳＯＳ、ＳＳＦ、ＳＳＹ、ＳＴＦ、ＳＴＩ、ＳＴＯ、ＳＴＴ、ＳＴＷ、-ＳＶＲ、ＳＺＲ、ＴＥＲ、ＴＨＯ、ＴＯＬ、ＴＯＮ、ＴＳＣ、ＴＵＮ、ＵＥＩ、ＵＦＩ、ＵＯＳ、ＵＯＺ、ＵＳＩ、ＵＴＬ、ＶＥＴ、ＶＦＩ、ＶＮＩ、ＶＳＶ、ＷＥＩ、-ＷＥＮ、ＹＵＧ、ＺＯＮ及びこれらのうち２つ以上の混合物、を有する、請求項１〜３の何れか一項に記載のウォールフローフィルタ。
【請求項５】
前記ゼオライトモレキュラーシーブ又は非ゼオライトモレキュラーシーブが、前記国際ゼオライト協会の構造委員会で定義された最大８-リング孔隙開放の構造を有する、請求項４に記載のウォールフローフィルタ。
【請求項６】
前記（ii）、前記（ii）及び前記（iv）において、それぞれ、
（ａ）前記押出しソリッド本体の全体に渡って存在し、
（ｂ）前記押出しソリッド本体の表面で更に高い濃度で存在し、
（ｃ）前記押出しソリッド本体の表面上の１つ以上のコーティング層に収容される、前記少なくとも１つの金属が、他の位置に存在する前記少なくとも１つの金属と異なる、請求項１〜５の何れか一項に記載のウォールフローフィルタ。
【請求項７】
ゼオライトモレキュラーシーブ、非ゼオライトモレキュラーシーブ、又はこれらのうち２つ以上の混合物を含んでなり、
前記少なくとも１つの金属が、前記ゼオライトモレキュラーシーブ成分、非ゼオライトモレキュラーシーブ成分、又は前記ゼオライトモレキュラーシーブ成分と非ゼオライトモレキュラーシーブ成分のいずれか又は両方の混合物と結合される、請求項１〜６の何れか一項に記載のウォールフローフィルタ。
【請求項８】
前記ゼオライトモレキュラーシーブ、非ゼオライトモレキュラーシーブ、又は両方のモレキュラーシーブを含む２つ以上のモレキュラーシーブの混合物と結合される少なくとも１つの金属がそれぞれ、遷移金属、ランタン又はこれらのうち２つ以上の混合物からなる群より選択される１つ以上の金属を含む、請求項７に記載のウォールフローフィルタ。
【請求項９】
前記遷移金属が、ＩＢ族金属、ＩＶＢ族金属、ＶＢ族金属、ＶＩＩＢ族金属及びＶＩＩＩ族金属からなる群より選択される、請求項８に記載のウォールフローフィルタ。
【請求項１０】
前記遷移金属が、Ｆｅ、Ｃｕ、Ｃｅ、Ｈｆ、Ｌａ、Ｍｎ、Ｐｔ、Ａｕ、Ａｇ、Ｉｎ、Ｒｈ、Ｖ、Ｉｒ、Ｒｕ及びＯｓからなる群より選択される、請求項８又は９に記載のウォールフローフィルタ。
【請求項１１】
前記フィルタは押出しソリッド本体を含んでなり、
前記押出しソリッド本体が、基本的に、
１０-９５重量％のコーディエライト、窒化物、炭化物、ホウ化物、合金、リチウムアルミノ珪酸塩、スピネル、選択的にドーピングされたアルミナ、チタニア、ジルコニア、チタニア-ジルコニア、ジルコン及びこれらのうち２つ以上の混合物、
０-３０重量％のシリカソース、
Ｃｕ、Ｆｅ及びＣｅからなる群より選択される１-２０重量％の１つ以上の金属を含む５０-９０重量％の非ゼオライトモレキュラーシーブ、及び
０-２０重量％の無機繊維を含む、請求項１〜１０の何れか一項に記載のウォールフローフィルタ。
【請求項１２】
前記少なくとも１つのバインダ／マトリックス成分が、コーディエライト、窒化物、炭化物、ホウ化物、合金、リチウムアルミノ珪酸塩、スピネル、選択的にドーピングされたアルミナ、シリカソース、チタニア、ジルコニア、チタニア-ジルコニア、ジルコン及びこれらのうち２つ以上の混合物からなる群より選択される、請求項１〜１１の何れか一項に記載のウォールフローフィルタ。
【請求項１３】
請求項１〜１２の何れか一項によるウォールフローフィルタを製造する方法であって、
粉末の出発物質を混合してソリッド押出し本体を形成し、ここで、前記粉末の出発物質が、少なくとも１つのマトリックス成分又はこれの１つ以上の前駆体、少なくとも１つの金属に選択的に結合されるゼオライトモレキュラーシーブ、非ゼオライトモレキュラーシーブ、又はこれらのうち２つ以上の混合物、選択的に安定化したセリア、及び少なくとも１つの金属化合物、選択的無機繊維、選択的に添加された有機補助剤であり、
少なくとも１つの金属の金属塩を選択的に含有する酸又はアルカリ水溶液でプラスチック化合物内に混合物を形成するように、混合及び／又は混練を通じて処理し、
前記混合物を触媒本体に押し出し、前記触媒本体を乾燥させ、ソリッド押出し本体を形成するために焼成し、
前記ソリッド押出し本体が１０-９５重量％の少なくとも１つのマトリックス成分、及び５-９０重量％のゼオライトモレキュラーシーブ、非ゼオライトモレキュラーシーブ、又はこれらのうち２つ以上の混合物、及び０-８０重量％の選択的に安定化したセリア、及び少なくとも１つの金属又は金属化合物を含有するように前記出発物質の量的比率を選択し、
前記ソリッド押出し本体の表面を少なくとも１つの金属で選択的に含浸及び／又は少なくとも１つの金属を含む少なくとも１つのコーティング層で前記ソリッド押出し本体の表面を選択的にコーティング処理することを含んでなる、製造方法。
【請求項１４】
固定型発生源又は車両の内燃機関から発生した排気ガスを処理する方法であって、
窒素性還元剤と混合された前記排気ガスを請求項１〜１２の何れか一項によるウォールフローフィルタと接触させることを含んでなる、方法。
【請求項１５】
請求項１〜１２の何れか一項によるウォールフローフィルタ、窒素性還元剤ソース、及び前記ウォールフローフィルタの上流側に流動する排気ガスに窒素性還元剤を注入するための手段を備えてなる、内燃機関用排気システム。
【請求項１６】
内燃機関及び請求項１５による排気システムを備えてなる、車両。